(57)【要約】【課題】  あるチャンネル（以下Ｃｈという）のＥＰＧを表示させずにそのＣｈを選局可能とすること及びあるＣｈを選局可能とせずにそのＣｈのＥＰＧを表示させること。【解決手段】  ＥＰＧ表示Ｃｈを特定可能なＥＰＧ用マップ又は選局可能Ｃｈを特定可能な選局用マップの選択が受付けられ（Ｓ１０２，３）検索されたＥＰＧ取得可能ＣｈのうちＥＰＧ用マップに未登録の取得可能Ｃｈが抽出され（Ｓ１１４，５）ＥＰＧ用マップ選択の場合抽出された取得可能Ｃｈのうちから追加希望Ｃｈの選択が受付けられ（Ｓ１１７）受付ＣｈがＥＰＧ用マップにＥＰＧ表示Ｃｈとして追加され（Ｓ１１８）検索された放送受信可能Ｃｈのうち選局用マップに未登録の受信可能Ｃｈが抽出され（Ｓ１０４，５）選局用マップ選択の場合抽出された受信可能Ｃｈのうちから追加希望Ｃｈの選択が受付けられ（Ｓ１０７）受付Ｃｈが選局用マップに選局可能Ｃｈとして追加される（Ｓ１０８）。【選択図】        図２
2006352752.tif 000002
【特許請求の範囲】
【請求項１】
チャンネルを特定可能なチャンネル識別情報と対応させて、前記チャンネル識別情報で特定可能なチャンネルの電子番組表を表示させることを特定可能な電子番組表用チャンネルマップ、および、前記チャンネル識別情報で特定可能なチャンネルを選局することが可能であることを特定可能な選局用チャンネルマップを、１つのチャンネルマップとして記憶するチャンネルマップ記憶手段と、
チャンネルを追加するチャンネルマップとして、前記チャンネルマップ記憶手段に記憶された電子番組表用チャンネルマップまたは選局用チャンネルマップのいずれかの選択をユーザから受付ける追加選択受付手段と、
前記電子番組表を取得可能な取得可能チャンネルを検索して、検索された前記取得可能チャンネルのうち、前記チャンネルマップ記憶手段に記憶された前記電子番組表用チャンネルマップで電子番組表表示チャンネルとして特定不可能な前記取得可能チャンネルを抽出する取得可能チャンネル抽出手段と、
前記取得可能チャンネル抽出手段によって抽出された前記取得可能チャンネルを示す取得可能チャンネル情報を表示するための信号を出力する取得可能チャンネル表示信号出力手段と、
前記追加選択受付手段によって前記電子番組表用チャンネルマップの選択が受付けられた場合、前記取得可能チャンネル表示信号出力手段によって出力された信号に応じて表示される前記取得可能チャンネル情報で示される前記取得可能チャンネルのうちから、ユーザが前記電子番組表用チャンネルマップへの追加を希望する前記取得可能チャンネルの選択を受付ける取得可能チャンネル受付手段と、
前記取得可能チャンネル受付手段によって受付けられた前記取得可能チャンネルを、前記チャンネルマップ記憶手段に記憶された前記電子番組表用チャンネルマップに、前記電子番組表表示チャンネルとして特定可能なように追加する取得可能チャンネル追加手段と、
放送を受信可能な受信可能チャンネルを検索して、検索された前記受信可能チャンネルのうち、前記チャンネルマップ記憶手段に記憶された前記選局用チャンネルマップで前記選局可能チャンネルとして特定不可能な前記受信可能チャンネルを抽出する受信可能チャンネル抽出手段と、
前記受信可能チャンネル抽出手段によって抽出された前記受信可能チャンネルを示す受信可能チャンネル情報を表示するための信号を出力する受信可能チャンネル表示信号出力手段と、
前記追加選択受付手段によって前記選局用チャンネルマップの選択が受付けられた場合、前記受信可能チャンネル表示信号出力手段によって出力された信号に応じて表示される前記受信可能チャンネル情報で示される前記受信可能チャンネルのうちから、ユーザが前記選局用チャンネルマップへの追加を希望する前記受信可能チャンネルの選択を受付ける受信可能チャンネル受付手段と、
前記受信可能チャンネル受付手段によって受付けられた前記受信可能チャンネルを、前記チャンネルマップ記憶手段に記憶された前記選局用チャンネルマップに、前記選局可能チャンネルとして特定可能なように追加する受信可能チャンネル追加手段と、
チャンネルを削除するチャンネルマップとして、前記チャンネルマップ記憶手段に記憶された電子番組表用チャンネルマップまたは選局用チャンネルマップのいずれかの選択をユーザから受付ける削除選択受付手段と、
前記チャンネルマップ記憶手段に記憶された前記電子番組表用チャンネルマップで特定可能な前記電子番組表用既登録チャンネルを示す電子番組表用既登録チャンネル情報を表示するための信号を出力する電子番組表用既登録チャンネル表示信号出力手段と、
前記削除選択受付手段によって前記電子番組表用チャンネルマップの選択が受付けられた場合、前記電子番組表用既登録チャンネル表示信号出力手段によって出力された信号に応じて表示される前記電子番組表用既登録チャンネル情報で示される前記電子番組表用既登録チャンネルのうちから、ユーザが前記電子番組表用チャンネルマップからの削除を希望する前記電子番組表用既登録チャンネルの選択を受付ける電子番組表用既登録チャンネル受付手段と、
前記電子番組表用既登録チャンネル受付手段によって受付けられた前記電子番組表用既登録チャンネルを、前記チャンネルマップ記憶手段に記憶された前記電子番組表用チャンネルマップから、前記電子番組表示チャンネルとして特定不可能なように削除する電子番組表用既登録チャンネル削除手段と、
前記チャンネルマップ記憶手段に記憶された前記選局用チャンネルマップで特定可能な前記選局用既登録チャンネルを示す選局用既登録チャンネル情報を表示するための信号を出力する選局用既登録チャンネル表示信号出力手段と、
前記削除選択受付手段によって前記選局用チャンネルマップの選択が受付けられた場合、前記選局用既登録チャンネル表示信号出力手段によって出力された信号に応じて表示される前記選局用既登録チャンネル情報で示される前記選局用既登録チャンネルのうちから、ユーザが前記選局用チャンネルマップからの削除を希望する前記選局用既登録チャンネルの選択を受付ける選局用既登録チャンネル受付手段と、
前記選局用既登録チャンネル受付手段によって受付けられた前記選局用既登録チャンネルを、前記チャンネルマップ記憶手段に記憶された前記選局用チャンネルマップから、前記選局可能チャンネルとして特定不可能なように削除する選局用既登録チャンネル削除手段と、
前記取得可能チャンネル表示信号出力手段、前記受信可能チャンネル表示信号出力手段、前記電子番組表用既登録チャンネル表示信号出力手段、または、前記選局用既登録チャンネル表示信号出力手段によって出力された信号でそれぞれ示される前記取得可能チャンネル情報、前記受信可能チャンネル情報、前記電子番組表用既登録チャンネル情報、または、前記選局用既登録チャンネル情報を表示する表示手段とを備える、放送受像装置。
【請求項２】
電子番組表を表示させる電子番組表表示チャンネルを特定可能な電子番組表用チャンネルマップを記憶する電子番組表用チャンネルマップ記憶手段と、
選局することが可能な選局可能チャンネルを特定可能な選局用チャンネルマップを記憶する選局用チャンネルマップ記憶手段と、
チャンネルを追加するチャンネルマップとして、前記電子番組表用チャンネルマップ記憶手段に記憶された電子番組表用チャンネルマップまたは前記選局用チャンネルマップ記憶手段に記憶された選局用チャンネルマップのいずれかの選択をユーザから受付ける選択受付手段と、
前記電子番組表を取得可能な取得可能チャンネルを検索して、検索された前記取得可能チャンネルのうち、前記電子番組表用チャンネルマップ記憶手段に記憶された前記電子番組表用チャンネルマップで電子番組表表示チャンネルとして特定不可能な前記取得可能チャンネルを抽出する取得可能チャンネル抽出手段と、
前記選択受付手段によって前記電子番組表用チャンネルマップの選択が受付けられた場合、前記取得可能チャンネル抽出手段によって抽出された前記取得可能チャンネルのうち、ユーザが前記電子番組表用チャンネルマップへの追加を希望する前記取得可能チャンネルの選択を受付ける取得可能チャンネル受付手段と、
前記取得可能チャンネル受付手段によって受付けられた前記取得可能チャンネルを、前記電子番組表用チャンネルマップ記憶手段に記憶された前記電子番組表用チャンネルマップに、前記電子番組表表示チャンネルとして特定可能なように追加する取得可能チャンネル追加手段と、
放送を受信可能な受信可能チャンネルを検索して、検索された前記受信可能チャンネルのうち、前記選局用チャンネルマップ記憶手段に記憶された前記選局用チャンネルマップで前記選局可能チャンネルとして特定不可能な前記受信可能チャンネルを抽出する受信可能チャンネル抽出手段と、
前記選択受付手段によって前記選局用チャンネルマップの選択が受付けられた場合、前記受信可能チャンネル抽出手段によって抽出された前記受信可能チャンネルのうち、ユーザが前記選局用チャンネルマップへの追加を希望する前記受信可能チャンネルの選択を受付ける受信可能チャンネル受付手段と、
前記受信可能チャンネル受付手段によって受付けられた前記受信可能チャンネルを、前記選局用チャンネルマップ記憶手段に記憶された前記選局用チャンネルマップに、前記選局可能チャンネルとして特定可能なように追加する受信可能チャンネル追加手段とを備える、放送受信装置。
【請求項３】
前記取得可能チャンネル抽出手段によって抽出された前記取得可能チャンネルを示す取得可能チャンネル情報を表示するための信号を出力する取得可能チャンネル表示信号出力手段と、
前記受信可能チャンネル抽出手段によって抽出された前記受信可能チャンネルを示す受信可能チャンネル情報を表示するための信号を出力する受信可能チャンネル表示信号出力手段とをさらに備え、
前記取得可能チャンネル受付手段は、前記取得可能チャンネル表示信号出力手段によって出力された信号に応じて表示される前記取得可能チャンネル情報で示される前記取得可能チャンネルのうちからユーザが追加を希望する前記取得可能チャンネルの選択を受付け、
前記受信可能チャンネル受付手段は、前記受信可能チャンネル表示信号出力手段によって出力された信号に応じて表示される前記受信可能チャンネル情報で示される前記受信可能チャンネルのうちからユーザが追加を希望する前記受信可能チャンネルの選択を受付ける、請求項２に記載の放送受信装置。
【請求項４】
電子番組表を表示させる電子番組表表示チャンネルを特定可能な電子番組表用チャンネルマップを記憶する電子番組表用チャンネルマップ記憶手段と、
選局することが可能な選局可能チャンネルを特定可能な選局用チャンネルマップを記憶する選局用チャンネルマップ記憶手段と、
チャンネルを削除するチャンネルマップとして、前記電子番組表用チャンネルマップ記憶手段に記憶された電子番組表用チャンネルマップまたは前記選局用チャンネルマップ記憶手段に記憶された選局用チャンネルマップのいずれかの選択をユーザから受付ける選択受付手段と、
前記選択受付手段によって前記電子番組表用チャンネルマップの選択が受付けられた場合、前記電子番組表用チャンネルマップ記憶手段に記憶された前記電子番組表用チャンネルマップで電子番組表表示チャンネルとして特定可能な電子番組表用既登録チャンネルのうち、ユーザが前記電子番組表用チャンネルマップからの削除を希望する前記電子番組表用既登録チャンネルの選択を受付ける電子番組表用既登録チャンネル受付手段と、
前記電子番組表用既登録チャンネル受付手段によって受付けられた前記電子番組表用既登録チャンネルを、前記電子番組表用チャンネルマップ記憶手段に記憶された前記電子番組表用チャンネルマップから、前記電子番組表示チャンネルとして特定不可能なように削除する電子番組表用既登録チャンネル削除手段と、
前記選択受付手段によって前記選局用チャンネルマップの選択が受付けられた場合、前記選局用チャンネルマップ記憶手段に記憶された前記選局用チャンネルマップで選局可能チャンネルとして特定可能な選局用既登録チャンネルのうち、ユーザが前記選局用チャンネルマップからの削除を希望する前記選局用既登録チャンネルの選択を受付ける選局用既登録チャンネル受付手段と、
前記選局用既登録チャンネル受付手段によって受付けられた前記選局用既登録チャンネルを、前記選局用チャンネルマップ記憶手段に記憶された前記選局用チャンネルマップから、前記選局可能チャンネルとして特定不可能なように削除する選局用既登録チャンネル削除手段とを備える、放送受信装置。
【請求項５】
前記電子番組表用チャンネルマップ記憶手段に記憶された前記電子番組表用チャンネルマップで特定可能な前記電子番組表用既登録チャンネルを示す電子番組表用既登録チャンネル情報を表示するための信号を出力する電子番組表用既登録チャンネル表示信号出力手段と、
前記選局用チャンネルマップ記憶手段に記憶された前記選局用チャンネルマップで特定可能な前記選局用既登録チャンネルを示す選局用既登録チャンネル情報を表示するための信号を出力する選局用既登録チャンネル表示信号出力手段とをさらに備え、
前記電子番組表用既登録チャンネル受付手段は、前記電子番組表用既登録チャンネル表示信号出力手段によって出力された信号に応じて表示される前記電子番組表用既登録チャンネル情報で示される前記電子番組表用既登録チャンネルのうちからユーザが削除を希望する前記電子番組表用既登録チャンネルの選択を受付け、
前記選局用既登録チャンネル受付手段は、前記選局用既登録チャンネル表示信号出力手段によって出力された信号に応じて表示される前記選局用既登録チャンネル情報で示される前記選局用既登録チャンネルのうちからユーザが削除を希望する前記選局用既登録チャンネルの選択を受付ける、請求項４に記載の放送受信装置。
【請求項６】
前記電子番組表チャンネルマップ記憶手段、および、前記選局用チャンネルマップ記憶手段は、チャンネルを特定可能なチャンネル識別情報と対応させて、前記チャンネル識別情報で特定可能なチャンネルの電子番組表を表示させることを特定可能な前記電子番組表用チャンネルマップ、および、前記チャンネル識別情報で特定可能なチャンネルを選局することが可能であることを特定可能な選局用チャンネルマップを、１つのチャンネルマップとして記憶する、請求項２から請求項５までのいずれかに記載の放送受信装置。
【請求項７】
請求項２から請求項６までのいずれかに記載の放送受信装置と、前記放送受信装置から出力された信号で示される情報を表示する表示手段とを備える、放送受像装置。
【請求項８】
所定の情報を記憶する記憶手段を備えた放送受信装置で実行されるチャンネル追加制御方法であって、
前記記憶手段は、電子番組表を表示させる電子番組表表示チャンネルを特定可能な電子番組表用チャンネルマップ、および、選局することが可能な選局可能チャンネルを特定可能な選局用チャンネルマップを記憶し、
チャンネルを追加するチャンネルマップとして、前記記憶手段に記憶された電子番組表用チャンネルマップまたは選局用チャンネルマップのいずれかの選択をユーザから受付けるステップと、
前記電子番組表を取得可能な取得可能チャンネルを検索して、検索された前記取得可能チャンネルのうち、前記記憶手段に記憶された前記電子番組表用チャンネルマップで電子番組表表示チャンネルとして特定不可能な前記取得可能チャンネルを抽出するステップと、
前記電子番組表用チャンネルマップの選択が受付けられた場合、抽出された前記取得可能チャンネルのうち、ユーザが前記電子番組表用チャンネルマップへの追加を希望する前記取得可能チャンネルの選択を受付けるステップと、
受付けられた前記取得可能チャンネルを、前記記憶手段に記憶された前記電子番組表用チャンネルマップに、前記電子番組表表示チャンネルとして特定可能なように追加するステップと、
放送を受信可能な受信可能チャンネルを検索して、検索された前記受信可能チャンネルのうち、前記記憶手段に記憶された前記選局用チャンネルマップで前記選局可能チャンネルとして特定不可能な前記受信可能チャンネルを抽出するステップと、
前記選局用チャンネルマップの選択が受付けられた場合、抽出された前記受信可能チャンネルのうち、ユーザが前記選局用チャンネルマップへの追加を希望する前記受信可能チャンネルの選択を受付けるステップと、
受付けられた前記受信可能チャンネルを、前記記憶手段に記憶された前記選局用チャンネルマップに、前記選局可能チャンネルとして特定可能なように追加するステップとを含む、チャンネル追加制御方法。
【請求項９】
所定の情報を記憶する記憶手段を備えた放送受信装置で実行されるチャンネル削除制御方法であって、
前記記憶手段は、電子番組表を表示させる電子番組表表示チャンネルを特定可能な電子番組表用チャンネルマップ、および、選局することが可能な選局可能チャンネルを特定可能な選局用チャンネルマップを記憶し、
チャンネルを削除するチャンネルマップとして、前記記憶手段に記憶された電子番組表用チャンネルマップまたは選局用チャンネルマップのいずれかの選択をユーザから受付けるステップと、
前記電子番組表用チャンネルマップの選択が受付けられた場合、前記記憶手段に記憶された前記電子番組表用チャンネルマップで電子番組表表示チャンネルとして特定可能な電子番組表用既登録チャンネルのうち、ユーザが前記電子番組表用チャンネルマップからの削除を希望する前記電子番組表用既登録チャンネルの選択を受付けるステップと、
受付けられた前記電子番組表用既登録チャンネルを、前記記憶手段に記憶された前記電子番組表用チャンネルマップから、前記電子番組表示チャンネルとして特定不可能なように削除するステップと、
前記選局用チャンネルマップの選択が受付けられた場合、前記記憶手段に記憶された前記選局用チャンネルマップで選局可能チャンネルとして特定可能な選局用既登録チャンネルのうち、ユーザが前記選局用チャンネルマップからの削除を希望する前記選局用既登録チャンネルの選択を受付けるステップと、
受付けられた前記選局用既登録チャンネルを、前記記憶手段に記憶された前記選局用チャンネルマップから、前記選局可能チャンネルとして特定不可能なように削除するステップとを含む、チャンネル削除制御方法。
【発明の詳細な説明】
【技術分野】
【０００１】
本発明は、放送受像装置、放送受信装置、チャンネル追加制御方法、および、チャンネル削除制御方法に関し、特に、チャンネルを追加または削除するのに適した放送受像装置、放送受信装置、チャンネル追加制御方法、および、チャンネル削除制御方法に関する。
【背景技術】
【０００２】
従来、テレビなどの放送受像装置において、ＥＰＧ（Electronic Program Guide、電子番組表）には、選局することが可能なチャンネルの番組の情報が表示される。つまり、選局することが可能なチャンネル、および、ＥＰＧを表示させるチャンネルは、同一のチャンネルマップによって特定される。
【０００３】
このため、チャンネルマップに新たにチャンネルを追加した場合は、選局することが可能なチャンネルにその新たなチャンネルが追加されるとともに、ＥＰＧを表示させるチャンネルにもその新たなチャンネルが追加される。また、チャンネルマップからいずれかのチャンネルを削除する場合は、選局することが可能なチャンネルからその削除するチャンネルが削除されるとともに、ＥＰＧを表示させるチャンネルからもその削除するチャンネルが削除される。
【０００４】
特許文献１には、ユーザが不要と思うチャンネルや時間帯を個別番組表構成情報としてメモリに格納し、その個別番組表構成情報に設定されている個別ＥＰＧ画面を表示するディジタル放送受信装置が開示されている（たとえば、特許文献１の第００２８段落参照）。
【０００５】
特許文献２には、画面に初期表示された複数のチャンネルの中から、視聴者にとって不要なチャンネルを選別し、選別された不要チャンネル以外のチャンネルを画面に一覧表示し視聴者の選択に供するチャンネル表示機構を含むデジタル放送受信機が開示されている（たとえば、特許文献２の第００１０段落参照）。
【０００６】
特許文献３には、テレビジョン放送、外部入力、インターネットのそれぞれの情報に対応してチャンネルインデックスを設定して、所定の登録されたこのチャンネルインデックスを表示装置の画面に統合的に表示し、この統合的に表示しているチャンネルインデックスをリモートコントロール装置で選択して表示装置に表示する情報を決めるようにしている情報表示装置が開示されている（たとえば、特許文献３の第００４１段落参照）。
【特許文献１】特開２００４−１７９７１６号公報
【特許文献２】特開２００１−１９７３８９号公報
【特許文献３】特開２００１−１４８８１２号公報
【発明の開示】
【発明が解決しようとする課題】
【０００７】
しかし、従来の技術によれば、ＥＰＧデータが提供されていないのでＥＰＧを表示させることが不可能なチャンネルであっても、そのチャンネルを選局できるようにするためには、チャンネルマップにそのチャンネルを登録しておく必要があった。
【０００８】
また、従来の技術によれば、普段は選局しないがＥＰＧだけをチェックしたいチャンネルであっても、そのチャンネルのＥＰＧを表示させるためには、チャンネルマップにそのチャンネルを登録しておく必要があった。
【０００９】
また、特許文献１に開示されているディジタル放送受信装置、特許文献２に開示されているデジタル放送受信機、および、特許文献３に開示されている情報表示装置によっても、そのチャンネルのＥＰＧを表示させるようにせずにそのチャンネルの選局のみできるようにしたり、そのチャンネルを選局できるようにせずにそのチャンネルのＥＰＧの表示のみをさせるようにしたりすることができないという問題があった。
【００１０】
この発明は上述の問題点を解決するためになされたもので、この発明の目的の１つは、あるチャンネルの電子番組表を表示させるようにせずにそのチャンネルを選局可能とすること、および、あるチャンネルを選局可能なようにせずにそのチャンネルの電子番組表を表示させることが可能な放送受像装置、放送受信装置、チャンネル追加制御方法、および、チャンネル削除制御方法を提供することである。
【課題を解決するための手段】
【００１１】
上述した課題を解決するために、この発明のある局面によれば、放送受信装置は、電子番組表用チャンネルマップ記憶部と、選局用チャンネルマップ記憶部と、選択受付部と、取得可能チャンネル抽出部と、取得可能チャンネル受付部と、取得可能チャンネル追加部と、受信可能チャンネル抽出部と、受信可能チャンネル受付部と、受信可能チャンネル追加部とを備える。
【００１２】
電子番組表用チャンネルマップ記憶部は、電子番組表を表示させる電子番組表表示チャンネルを特定可能な電子番組表用チャンネルマップを記憶する。選局用チャンネルマップ記憶部は、選局することが可能な選局可能チャンネルを特定可能な選局用チャンネルマップを記憶する。選択受付部は、チャンネルを追加するチャンネルマップとして、電子番組表用チャンネルマップ記憶部に記憶された電子番組表用チャンネルマップまたは選局用チャンネルマップ記憶部に記憶された選局用チャンネルマップのいずれかの選択をユーザから受付ける。
【００１３】
取得可能チャンネル抽出部は、電子番組表を取得可能な取得可能チャンネルを検索して、検索された取得可能チャンネルのうち、電子番組表用チャンネルマップ記憶部に記憶された電子番組表用チャンネルマップで電子番組表表示チャンネルとして特定不可能な取得可能チャンネルを抽出する。取得可能チャンネル受付部は、選択受付部によって電子番組表用チャンネルマップの選択が受付けられた場合、取得可能チャンネル抽出部によって抽出された取得可能チャンネルのうち、ユーザが電子番組表用チャンネルマップへの追加を希望する取得可能チャンネルの選択を受付ける。取得可能チャンネル追加部は、取得可能チャンネル受付部によって受付けられた取得可能チャンネルを、電子番組表用チャンネルマップ記憶部に記憶された電子番組表用チャンネルマップに、電子番組表表示チャンネルとして特定可能なように追加する。
【００１４】
受信可能チャンネル抽出部は、放送を受信可能な受信可能チャンネルを検索して、検索された受信可能チャンネルのうち、選局用チャンネルマップ記憶部に記憶された選局用チャンネルマップで選局可能チャンネルとして特定不可能な受信可能チャンネルを抽出する。受信可能チャンネル受付部は、選択受付部によって選局用チャンネルマップの選択が受付けられた場合、受信可能チャンネル抽出部によって抽出された受信可能チャンネルのうち、ユーザが選局用チャンネルマップへの追加を希望する受信可能チャンネルの選択を受付ける。受信可能チャンネル追加部は、受信可能チャンネル受付部によって受付けられた受信可能チャンネルを、選局用チャンネルマップ記憶部に記憶された選局用チャンネルマップに、選局可能チャンネルとして特定可能なように追加する。
【００１５】
好ましくは、放送受信装置は、取得可能チャンネル抽出部によって抽出された取得可能チャンネルを示す取得可能チャンネル情報を表示するための信号を出力する取得可能チャンネル表示信号出力部と、受信可能チャンネル抽出部によって抽出された受信可能チャンネルを示す受信可能チャンネル情報を表示するための信号を出力する受信可能チャンネル表示信号出力部とをさらに備える。
【００１６】
取得可能チャンネル受付部は、取得可能チャンネル表示信号出力部によって出力された信号に応じて表示される取得可能チャンネル情報で示される取得可能チャンネルのうちからユーザが追加を希望する取得可能チャンネルの選択を受付ける。受信可能チャンネル受付部は、受信可能チャンネル表示信号出力部によって出力された信号に応じて表示される受信可能チャンネル情報で示される受信可能チャンネルのうちからユーザが追加を希望する受信可能チャンネルの選択を受付ける。
【００１７】
この発明の他の局面によれば、放送受信装置は、電子番組表用チャンネルマップ記憶部と、選局用チャンネルマップ記憶部と、選択受付部と、電子番組表用既登録チャンネル受付部と、電子番組表用既登録チャンネル削除部と、選局用既登録チャンネル受付部と、選局用既登録チャンネル削除部とを備える。
【００１８】
電子番組表用チャンネルマップ記憶部は、電子番組表を表示させる電子番組表表示チャンネルを特定可能な電子番組表用チャンネルマップを記憶する。選局用チャンネルマップ記憶部は、選局することが可能な選局可能チャンネルを特定可能な選局用チャンネルマップを記憶する。選択受付部は、チャンネルを削除するチャンネルマップとして、電子番組表用チャンネルマップ記憶部に記憶された電子番組表用チャンネルマップまたは選局用チャンネルマップ記憶部に記憶された選局用チャンネルマップのいずれかの選択をユーザから受付ける。
【００１９】
電子番組表用既登録チャンネル受付部は、選択受付部によって電子番組表用チャンネルマップの選択が受付けられた場合、電子番組表用チャンネルマップ記憶部に記憶された電子番組表用チャンネルマップで電子番組表表示チャンネルとして特定可能な電子番組表用既登録チャンネルのうち、ユーザが電子番組表用チャンネルマップからの削除を希望する電子番組表用既登録チャンネルの選択を受付ける。電子番組表用既登録チャンネル削除部は、電子番組表用既登録チャンネル受付部によって受付けられた電子番組表用既登録チャンネルを、電子番組表用チャンネルマップ記憶部に記憶された電子番組表用チャンネルマップから、電子番組表示チャンネルとして特定不可能なように削除する。
【００２０】
選局用既登録チャンネル受付部は、選択受付部によって選局用チャンネルマップの選択が受付けられた場合、選局用チャンネルマップ記憶部に記憶された選局用チャンネルマップで選局可能チャンネルとして特定可能な選局用既登録チャンネルのうち、ユーザが選局用チャンネルマップからの削除を希望する選局用既登録チャンネルの選択を受付ける。選局用既登録チャンネル削除部は、選局用既登録チャンネル受付部によって受付けられた選局用既登録チャンネルを、選局用チャンネルマップ記憶部に記憶された選局用チャンネルマップから、選局可能チャンネルとして特定不可能なように削除する。
【００２１】
好ましくは、放送受信装置は、電子番組表用チャンネルマップ記憶部に記憶された電子番組表用チャンネルマップで特定可能な電子番組表用既登録チャンネルを示す電子番組表用既登録チャンネル情報を表示するための信号を出力する電子番組表用既登録チャンネル表示信号出力部と、選局用チャンネルマップ記憶部に記憶された選局用チャンネルマップで特定可能な選局用既登録チャンネルを示す選局用既登録チャンネル情報を表示するための信号を出力する選局用既登録チャンネル表示信号出力部とをさらに備える。
【００２２】
電子番組表用既登録チャンネル受付部は、電子番組表用既登録チャンネル表示信号出力部によって出力された信号に応じて表示される電子番組表用既登録チャンネル情報で示される電子番組表用既登録チャンネルのうちからユーザが削除を希望する電子番組表用既登録チャンネルの選択を受付ける。選局用既登録チャンネル受付部は、選局用既登録チャンネル表示信号出力部によって出力された信号に応じて表示される選局用既登録チャンネル情報で示される選局用既登録チャンネルのうちからユーザが削除を希望する選局用既登録チャンネルの選択を受付ける。
【００２３】
好ましくは、電子番組表チャンネルマップ記憶部、および、選局用チャンネルマップ記憶部は、チャンネルを特定可能なチャンネル識別情報と対応させて、チャンネル識別情報で特定可能なチャンネルの電子番組表を表示させることを特定可能な電子番組表用チャンネルマップ、および、チャンネル識別情報で特定可能なチャンネルを選局することが可能であることを特定可能な選局用チャンネルマップを、１つのチャンネルマップとして記憶する。
【００２４】
この発明のさらに他の局面によれば、放送受像装置は、上述した放送受信装置と、放送受信装置から出力された信号で示される情報を表示する表示部とを備える。
【００２５】
この発明のさらに他の局面によれば、チャンネル追加制御方法は、所定の情報を記憶する記憶部を備えた放送受信装置で実行される。記憶部は、電子番組表を表示させる電子番組表表示チャンネルを特定可能な電子番組表用チャンネルマップ、および、選局することが可能な選局可能チャンネルを特定可能な選局用チャンネルマップを記憶する。
【００２６】
チャンネル追加制御方法は、チャンネルを追加するチャンネルマップとして、記憶部に記憶された電子番組表用チャンネルマップまたは選局用チャンネルマップのいずれかの選択をユーザから受付けるステップと、電子番組表を取得可能な取得可能チャンネルを検索して、検索された取得可能チャンネルのうち、記憶部に記憶された電子番組表用チャンネルマップで電子番組表表示チャンネルとして特定不可能な取得可能チャンネルを抽出するステップと、電子番組表用チャンネルマップの選択が受付けられた場合、抽出された取得可能チャンネルのうち、ユーザが電子番組表用チャンネルマップへの追加を希望する取得可能チャンネルの選択を受付けるステップと、受付けられた取得可能チャンネルを、記憶部に記憶された電子番組表用チャンネルマップに、電子番組表表示チャンネルとして特定可能なように追加するステップと、放送を受信可能な受信可能チャンネルを検索して、検索された受信可能チャンネルのうち、記憶部に記憶された選局用チャンネルマップで選局可能チャンネルとして特定不可能な受信可能チャンネルを抽出するステップと、選局用チャンネルマップの選択が受付けられた場合、抽出された受信可能チャンネルのうち、ユーザが選局用チャンネルマップへの追加を希望する受信可能チャンネルの選択を受付けるステップと、受付けられた受信可能チャンネルを、記憶部に記憶された選局用チャンネルマップに、選局可能チャンネルとして特定可能なように追加するステップとを含む。
【００２７】
この発明のさらに他の局面によれば、チャンネル削除制御方法は、所定の情報を記憶する記憶部を備えた放送受信装置で実行される。記憶部は、電子番組表を表示させる電子番組表表示チャンネルを特定可能な電子番組表用チャンネルマップ、および、選局することが可能な選局可能チャンネルを特定可能な選局用チャンネルマップを記憶する。
【００２８】
チャンネル削除制御方法は、チャンネルを削除するチャンネルマップとして、記憶部に記憶された電子番組表用チャンネルマップまたは選局用チャンネルマップのいずれかの選択をユーザから受付けるステップと、電子番組表用チャンネルマップの選択が受付けられた場合、記憶部に記憶された電子番組表用チャンネルマップで電子番組表表示チャンネルとして特定可能な電子番組表用既登録チャンネルのうち、ユーザが電子番組表用チャンネルマップからの削除を希望する電子番組表用既登録チャンネルの選択を受付けるステップと、受付けられた電子番組表用既登録チャンネルを、記憶部に記憶された電子番組表用チャンネルマップから、電子番組表示チャンネルとして特定不可能なように削除するステップと、選局用チャンネルマップの選択が受付けられた場合、記憶部に記憶された選局用チャンネルマップで選局可能チャンネルとして特定可能な選局用既登録チャンネルのうち、ユーザが選局用チャンネルマップからの削除を希望する選局用既登録チャンネルの選択を受付けるステップと、受付けられた選局用既登録チャンネルを、記憶部に記憶された選局用チャンネルマップから、選局可能チャンネルとして特定不可能なように削除するステップとを含む。
【発明の効果】
【００２９】
この発明に従えば、放送受信装置によって、電子番組表を表示させる電子番組表表示チャンネルを特定可能な電子番組表用チャンネルマップが記憶され、選局することが可能な選局可能チャンネルを特定可能な選局用チャンネルマップが記憶され、チャンネルを追加するチャンネルマップとして、電子番組表用チャンネルマップまたは選局用チャンネルマップのいずれかの選択がユーザから受付けられる。
【００３０】
また、放送受信装置によって、電子番組表を取得可能な取得可能チャンネルが検索され、検索された取得可能チャンネルのうち、電子番組表用チャンネルマップで電子番組表表示チャンネルとして特定不可能な取得可能チャンネルが抽出され、電子番組表用チャンネルマップの選択が受付けられた場合、抽出された取得可能チャンネルのうち、ユーザが電子番組表用チャンネルマップへの追加を希望する取得可能チャンネルの選択が受付けられ、受付けられた取得可能チャンネルが、電子番組表用チャンネルマップに、電子番組表表示チャンネルとして特定可能なように追加される。
【００３１】
また、放送受信装置によって、放送を受信可能な受信可能チャンネルが検索され、検索された受信可能チャンネルのうち、選局用チャンネルマップで選局可能チャンネルとして特定不可能な受信可能チャンネルが抽出され、選局用チャンネルマップの選択が受付けられた場合、抽出された受信可能チャンネルのうち、ユーザが選局用チャンネルマップへの追加を希望する受信可能チャンネルの選択が受付けられ、受付けられた受信可能チャンネルが、選局用チャンネルマップに、選局可能チャンネルとして特定可能なように追加される。
【００３２】
このため、放送受信装置によって、電子番組表を表示させるチャンネル、および、選局することが可能なチャンネルが、それぞれ、電子番組表用チャンネルマップ、および、選局用チャンネルマップに記憶され、ユーザが追加を希望する取得可能チャンネルおよび受信可能チャンネルが、それぞれ、電子番組表用チャンネルマップ、および、選局用チャンネルマップに追加される。その結果、あるチャンネルの電子番組表を表示させるようにせずにそのチャンネルを選局可能とすること、および、あるチャンネルを選局可能なようにせずにそのチャンネルの電子番組表を表示させることが可能な放送受信装置を提供することができる。
【００３３】
また、放送受信装置によって、抽出された取得可能チャンネルを示す取得可能チャンネル情報を表示するための信号が出力され、抽出された受信可能チャンネルを示す受信可能チャンネル情報を表示するための信号が出力され、出力された信号に応じて表示される取得可能チャンネル情報で示される取得可能チャンネルのうちからユーザが追加を希望する取得可能チャンネルの選択が受付けられ、出力された信号に応じて表示される受信可能チャンネル情報で示される受信可能チャンネルのうちからユーザが追加を希望する受信可能チャンネルの選択が受付けられる。
【００３４】
このため、ユーザが追加を希望することが可能な取得可能チャンネルおよび受信可能チャンネルを分かり易くユーザに知らせることができる。
【００３５】
また、放送受信装置によって、電子番組表を表示させる電子番組表表示チャンネルを特定可能な電子番組表用チャンネルマップが記憶され、選局することが可能な選局可能チャンネルを特定可能な選局用チャンネルマップが記憶され、チャンネルを削除するチャンネルマップとして、電子番組表用チャンネルマップまたは選局用チャンネルマップのいずれかの選択がユーザから受付けられる。
【００３６】
また、電子番組表用チャンネルマップの選択が受付けられた場合、電子番組表用チャンネルマップで電子番組表表示チャンネルとして特定可能な電子番組表用既登録チャンネルのうち、ユーザが電子番組表用チャンネルマップからの削除を希望する電子番組表用既登録チャンネルの選択が受付けられ、受付けられた電子番組表用既登録チャンネルが、電子番組表用チャンネルマップから、電子番組表示チャンネルとして特定不可能なように削除される。
【００３７】
また、選局用チャンネルマップの選択が受付けられた場合、選局用チャンネルマップで選局可能チャンネルとして特定可能な選局用既登録チャンネルのうち、ユーザが選局用チャンネルマップからの削除を希望する選局用既登録チャンネルの選択が受付けられ、受付けられた選局用既登録チャンネルが、選局用チャンネルマップから、選局可能チャンネルとして特定不可能なように削除される。
【００３８】
このため、放送受信装置によって、電子番組表を表示させるチャンネル、および、選局することが可能なチャンネルが、それぞれ、電子番組表用チャンネルマップ、および、選局用チャンネルマップに記憶され、ユーザが削除を希望する電子番組表用既登録チャンネル、および、選局用既登録チャンネルが、それぞれ、電子番組表用チャンネルマップ、および、選局用チャンネルマップから削除される。その結果、あるチャンネルの電子番組表を表示させるようにせずにそのチャンネルを選局可能とすること、および、あるチャンネルを選局可能なようにせずにそのチャンネルの電子番組表を表示させることが可能な放送受信装置を提供することができる。
【００３９】
また、放送受信装置によって、電子番組表用チャンネルマップで特定可能な電子番組表用既登録チャンネルを示す電子番組表用既登録チャンネル情報を表示するための信号が出力され、選局用チャンネルマップで特定可能な選局用既登録チャンネルを示す選局用既登録チャンネル情報を表示するための信号が出力され、出力された信号に応じて表示される電子番組表用既登録チャンネル情報で示される電子番組表用既登録チャンネルのうちからユーザが削除を希望する電子番組表用既登録チャンネルの選択が受付けられ、出力された信号に応じて表示される選局用既登録チャンネル情報で示される選局用既登録チャンネルのうちからユーザが削除を希望する選局用既登録チャンネルの選択が受付けられる。
【００４０】
このため、ユーザが削除を希望することが可能な電子番組表用既登録チャンネルおよび選局用既登録チャンネルを分かり易くユーザに知らせることができる。
【００４１】
また、放送受信装置によって、チャンネルを特定可能なチャンネル識別情報と対応させて、チャンネル識別情報で特定可能なチャンネルの電子番組表を表示させることを特定可能な電子番組表用チャンネルマップ、および、チャンネル識別情報で特定可能なチャンネルを選局することが可能であることを特定可能な選局用チャンネルマップが、１つのチャンネルマップとして記憶される。
【００４２】
このため、電子番組表用チャンネルマップおよび選局用チャンネルマップで、チャンネル識別情報を重複して記憶する必要がない。その結果、チャンネルマップを記憶するための記憶容量を削減することができる。
【００４３】
また、放送受像装置によって、放送受信装置から出力された信号で示される取得可能チャンネル情報、受信可能チャンネル情報、電子番組表用既登録チャンネル情報、または、選局用既登録チャンネル情報が表示される。
【００４４】
このため、放送受像装置によって、電子番組表を表示させるチャンネル、および、選局することが可能なチャンネルが、それぞれ、電子番組表用チャンネルマップ、および、選局用チャンネルマップに記憶され、ユーザが追加を希望する取得可能チャンネルおよび受信可能チャンネルが、それぞれ、電子番組表用チャンネルマップ、および、選局用チャンネルマップに追加される。その結果、あるチャンネルの電子番組表を表示させるようにせずにそのチャンネルを選局可能とすること、および、あるチャンネルを選局可能なようにせずにそのチャンネルの電子番組表を表示させることが可能な放送受像装置を提供することができる。
【００４５】
また、放送受像装置によって、電子番組表を表示させるチャンネル、および、選局することが可能なチャンネルが、それぞれ、電子番組表用チャンネルマップ、および、選局用チャンネルマップに記憶され、ユーザが削除を希望する電子番組表用既登録チャンネル、および、選局用既登録チャンネルが、それぞれ、電子番組表用チャンネルマップ、および、選局用チャンネルマップから削除される。その結果、あるチャンネルの電子番組表を表示させるようにせずにそのチャンネルを選局可能とすること、および、あるチャンネルを選局可能なようにせずにそのチャンネルの電子番組表を表示させることが可能な放送受像装置を提供することができる。
【００４６】
また、チャンネル追加制御方法によって、チャンネルを追加するチャンネルマップとして、電子番組表用チャンネルマップまたは選局用チャンネルマップのいずれかの選択がユーザから受付けられ、電子番組表を取得可能な取得可能チャンネルが検索され、検索された取得可能チャンネルのうち、電子番組表用チャンネルマップで電子番組表表示チャンネルとして特定不可能な取得可能チャンネルが抽出され、電子番組表用チャンネルマップの選択が受付けられた場合、抽出された取得可能チャンネルのうち、ユーザが電子番組表用チャンネルマップへの追加を希望する取得可能チャンネルの選択が受付けられ、受付けられた取得可能チャンネルが、電子番組表用チャンネルマップに、電子番組表表示チャンネルとして特定可能なように追加され、放送を受信可能な受信可能チャンネルが検索され、検索された受信可能チャンネルのうち、選局用チャンネルマップで選局可能チャンネルとして特定不可能な受信可能チャンネルが抽出され、選局用チャンネルマップの選択が受付けられた場合、抽出された受信可能チャンネルのうち、ユーザが選局用チャンネルマップへの追加を希望する受信可能チャンネルの選択が受付けられ、受付けられた受信可能チャンネルが、選局用チャンネルマップに、選局可能チャンネルとして特定可能なように追加される。
【００４７】
このため、チャンネル追加制御方法によって、電子番組表を表示させるチャンネル、および、選局することが可能なチャンネルが、それぞれ、電子番組表用チャンネルマップ、および、選局用チャンネルマップに記憶され、ユーザが追加を希望する取得可能チャンネルおよび受信可能チャンネルが、それぞれ、電子番組表用チャンネルマップ、および、選局用チャンネルマップに追加される。その結果、あるチャンネルの電子番組表を表示させるようにせずにそのチャンネルを選局可能とすること、および、あるチャンネルを選局可能なようにせずにそのチャンネルの電子番組表を表示させることが可能なチャンネル追加制御方法を提供することができる。
【００４８】
また、チャンネル削除制御方法によって、チャンネルを削除するチャンネルマップとして、電子番組表用チャンネルマップまたは選局用チャンネルマップのいずれかの選択がユーザから受付けられ、電子番組表用チャンネルマップの選択が受付けられた場合、電子番組表用チャンネルマップで電子番組表表示チャンネルとして特定可能な電子番組表用既登録チャンネルのうち、ユーザが電子番組表用チャンネルマップからの削除を希望する電子番組表用既登録チャンネルの選択が受付けられ、受付けられた電子番組表用既登録チャンネルが、電子番組表用チャンネルマップから、電子番組表示チャンネルとして特定不可能なように削除され、選局用チャンネルマップの選択が受付けられた場合、選局用チャンネルマップで選局可能チャンネルとして特定可能な選局用既登録チャンネルのうち、ユーザが選局用チャンネルマップからの削除を希望する選局用既登録チャンネルの選択が受付けられ、受付けられた選局用既登録チャンネルが、選局用チャンネルマップから、選局可能チャンネルとして特定不可能なように削除される。
【００４９】
このため、チャンネル削除制御方法によって、電子番組表を表示させるチャンネル、および、選局することが可能なチャンネルが、それぞれ、電子番組表用チャンネルマップ、および、選局用チャンネルマップに記憶され、ユーザが削除を希望する電子番組表用既登録チャンネル、および、選局用既登録チャンネルが、それぞれ、電子番組表用チャンネルマップ、および、選局用チャンネルマップから削除される。その結果、あるチャンネルの電子番組表を表示させるようにせずにそのチャンネルを選局可能とすること、および、あるチャンネルを選局可能なようにせずにそのチャンネルの電子番組表を表示させることが可能なチャンネル削除制御方法を提供することができる。
【発明を実施するための最良の形態】
【００５０】
以下、この発明の実施の形態について、図面を参照しながら詳細に説明する。なお、図中の同一または相当部分については、同一符号を付してその説明は繰返さない。
【００５１】
図１は、この発明の実施の形態に従う放送受像装置１の概略構成図である。
図１を参照して、この発明の第１実施形態に従う放送受像装置１は、アンテナ３０から放送信号を受信し、リモコン４２から指令信号を受信し、モニタ４００に映像信号および音声信号を出力する。
【００５２】
アンテナ３０は、放送局から電波で送信されてくる放送信号を受信し、放送受像装置１に供給する。
【００５３】
リモコン４２は、ユーザから所望の操作を受付けて、ユーザによる操作に応じた操作信号を赤外線で放送受像装置１に送信する。なお、リモコン４２から出力される操作信号は、赤外線に限定されず、無線であってもよい。また、リモコン４２およびリモコン送受信部２６に替えて、または、リモコン４２およびリモコン送受信部２６とともに、放送受信装置１の本体に、ユーザからの操作を受付けて、操作信号を制御部１０に出力する操作受付部を設けるようにしてもよい。
【００５４】
放送受像装置１は、制御部１０と、チューナ１６と、復調部１８と、デコーダ２２と、リモコン受信部２６と、モニタ４０とを含む。
【００５５】
制御部１０は、プログラムを実行するＣＰＵ（Central Processing Unit）１０Ａと、実行されるプログラム、プログラム実行中のデータ、および、プログラム実行結果のデータを記憶するメモリ１０Ｂとを含む。
【００５６】
チューナ１６は、受信した放送信号の中から、制御部１０からの指令に応じて選択されたチャンネルに対応する放送信号を抽出する。そして、チューナ１６は、抽出した放送信号を復調部１８へ出力する。
【００５７】
復調部１８は、制御部１０によって制御されて、チューナ１６から放送信号を受けて、放送信号を映像および音声がデジタル符号化されたＭＰＥＧ−２ＴＳ（Moving Picture Experts Group phase 2 Transport Stream）信号に復調し、ＭＰＥＧ−２ＴＳ信号をデコーダ２２へ出力する。
【００５８】
ここで、デジタルテレビ放送信号は、リード・ソロモン符号および畳み込み符号で符号化されて送信される。そのため、復調部１８は、上述の復号処理において誤り訂正ができる。この誤り訂正の処理過程において、復調部１８は、受信した放送信号の受信データ誤り率を演算し、その受信データ誤り率を制御部１０へ出力する。
【００５９】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。
【００６０】
デコーダ２２は、制御部１０によって制御されて、復調部１８から受けたＭＰＥＧ−２ＴＳ信号を映像信号および音声信号に復号する。そして、デコーダ２２は、復号された映像信号および音声信号をモニタ４０へ出力する。
【００６１】
モニタ４０は、デコーダ２２からの映像信号および音声信号をそれぞれ映像および音声に変換して、変換された映像および音声をユーザが視聴可能なようにする。
【００６２】
リモコン受信部２６は、リモコン４２からの操作信号を受信して、受信した操作信号を制御部１０へ出力する。
【００６３】
制御部１０は、リモコン送受信部２６から受信した操作信号に応じて、チューナ１６、復調部１８、および、デコーダ２２を制御する。
【００６４】
図２は、この発明の実施の形態に従う放送受像装置１で実行されるチャンネル追加処理の流れを示すフローチャートである。
【００６５】
図２を参照して、このチャンネル追加処理は、チャンネルを追加する指示がユーザから受付けられたときに実行される。まず、ステップＳ１０１で、制御部１０は、チャンネル追加メニュー画面をモニタ４０に表示させる。
【００６６】
図３は、この発明の実施の形態に従う放送受像装置１で出力されるチャンネル追加メニュー画面の一例を示す表示画面図である。
【００６７】
図３を参照して、チャンネル追加メニュー画面には、この画面の名称である「チャンネル追加メニュー」の文字と、チャンネルを追加するチャンネルマップを選択するための選択肢である「１．選局用チャンネルマップ」および「２．ＥＰＧ用チャンネルマップ」の文字とが表示される。
【００６８】
ここでは、「２．ＥＰＧ用チャンネルマップ」の文字が選択候補であることを示す態様である太枠線で囲まれた態様で表示されている。ユーザは、リモコン４２によって、いずれのチャンネルマップを選択候補とするかを切替える操作をすることができる。また、ユーザは、リモコン４２によって、選択候補とされたチャンネルマップを、チャンネルを追加するチャンネルマップとして決定する操作をすることができる。
【００６９】
【表１】
2006352752.tif 000003
【００７０】
表１は、選局用チャンネルマップおよびＥＰＧ用チャンネルマップを含むチャンネルマップを示す第１のテーブルである。
【００７１】
表１を参照して、このチャンネルマップは、制御部１０のメモリ１０Ｂに記憶される。このチャンネルマップは、チャンネル番号の欄および選局用登録チャンネルの欄からなる選局用チャンネルマップと、チャンネル番号の欄およびＥＰＧ用登録チャンネルの欄からなるＥＰＧ用チャンネルマップとを含む。
【００７２】
この選局用チャンネルマップによって、「１７−１」「１９−１」「２０−１」「２０−２」のそれぞれで示されるチャンネルが、選局用チャンネルマップに既登録のチャンネルであることが示され、「２１−１」「２２−１」のそれぞれで示されるチャンネルが、選局用チャンネルマップまたはＥＰＧ用チャンネルマップに以前に登録されたことがあるが現在は選局用チャンネルマップに未登録であるチャンネルであることが示される。
【００７３】
同様に、このＥＰＧ用チャンネルマップによって、「１７−１」「１９−１」「２０−１」「２０−２」のそれぞれで示されるチャンネルが、ＥＰＧ用チャンネルマップに既登録のチャンネルであることが示され、「２１−１」「２２−１」のそれぞれで示されるチャンネルが、選局用チャンネルマップまたはＥＰＧ用チャンネルマップに以前に登録されたことがあるが現在はＥＰＧ用チャンネルマップに未登録であるチャンネルであることが示される。
【００７４】
図２に戻って、ステップＳ１０２で、制御部１０は、ＥＰＧ用チャンネルマップの選択を決定する信号をリモコン受信部２６から受けたか否かを判断する。ＥＰＧ用チャンネルマップの選択を決定する信号を受けたと判断した場合（ステップＳ１０２でＹＥＳの場合）、制御部１０は、実行する処理をステップＳ１１４に進める。
【００７５】
一方、ＥＰＧ用チャンネルマップの選択を決定する信号を受けていないと判断した場合（ステップＳ１０２でＮＯの場合）、ステップＳ１０３で、制御部１０は、選局用チャンネルマップの選択を決定する信号をリモコン受信部２６から受けたか否かを判断する。選局用チャンネルマップの選択を決定する信号を受けていないと判断した場合（ステップＳ１０３でＮＯの場合）、制御部１０は、実行する処理をステップＳ１０２に戻す。
【００７６】
一方、選局用チャンネルマップの選択を決定する信号を受けたと判断した場合（ステップＳ１０３でＹＥＳの場合）、ステップＳ１０４で、制御部１０は、チューナ１６を制御して、放送を受信可能なチャンネルを検索する。そして、ステップＳ１０５で、制御部１０は、ステップＳ１０４で検索された結果およびメモリ１０Ｂに記憶された選局用チャンネルマップに基づいて、選局用チャンネルマップに未登録の放送を受信可能なチャンネルがあるか否かを判断する。未登録の受信可能チャンネルがないと判断した場合（ステップＳ１０５でＮＯの場合）、制御部１０は、実行する処理をこのチャンネル追加処理の呼出元の処理に戻す。
【００７７】
一方、未登録の受信可能チャンネルがあると判断した場合（ステップＳ１０５でＹＥＳの場合）、ステップＳ１０６で、制御部１０は、ステップＳ１０５で判断された未登録の受信可能チャンネルを示す情報、および、メモリ１０Ｂに記憶された選局用チャンネルマップに既登録のチャンネルを示す情報をモニタ４０に表示させる。
【００７８】
図４は、この発明の実施の形態に従う放送受像装置１で出力される選局用チャンネルマップチャンネル追加画面の一例を示す表示画面図である。
【００７９】
図４を参照して、選局用チャンネルマップチャンネル追加画面には、この画面の名称である「選局用Ｃｈ．Ｍａｐ  Ｃｈ追加画面」の文字と、未登録の受信可能チャンネルのリストの名称である「未登録受信可能チャンネル」の文字と、未登録の受信可能チャンネルを示すリストである「１８−１」「１９−２」の数字と、選局用チャンネルマップの既登録のチャンネルのリストの名称である「選局用Ｃｈ．Ｍａｐ既登録チャンネル」の文字と、既登録のチャンネルを示すリストである「１７−１」「１９−１」「２０−１」「２０−２」の数字とが表示される。
【００８０】
ここでは、「１９−２」の数字で示されるチャンネルが、選局用チャンネルマップに追加するチャンネルの選択候補であることを示す態様である太枠線で囲まれた態様で表示されている。ユーザは、リモコン４２によって、いずれの未登録受信可能チャンネルを選択候補とするかを切替える操作をすることができる。また、ユーザは、リモコン４２によって、選択候補とされた未登録受信可能チャンネルを、選局用チャンネルマップに追加するチャンネルとして決定する操作をすることができる。
【００８１】
図２に戻って、ステップＳ１０７で、制御部１０は、未登録受信可能チャンネルのいずれかの選択を決定する信号をリモコン受信部２６から受けたか否かを判断する。未登録受信可能チャンネルのいずれかの選択を決定する信号を受けていないと判断した場合（ステップＳ１０７でＮＯの場合）、制御部１０は、実行する処理をこのチャンネル追加処理の呼出元の処理に戻す。
【００８２】
一方、未登録受信可能チャンネルのいずれかの選択を決定する信号を受けたと判断した場合（ステップＳ１０７でＹＥＳの場合）、ステップＳ１０８で、制御部１０は、選択された未登録受信可能チャンネルを、メモリ１０Ｂに記憶された選局用チャンネルマップに追加して登録する。その後、制御部１０は、実行する処理をこのチャンネル追加処理の呼出元の処理に戻す。
【００８３】
また、ステップＳ１０２でステップＳ１１４に進んだ場合、制御部１０は、チューナ１６および復調部１８を制御して、ＥＰＧを取得可能なチャンネルを検索する。そして、ステップＳ１１５で、制御部１０は、ステップＳ１１４で検索された結果およびメモリ１０Ｂに記憶されたＥＰＧ用チャンネルマップに基づいて、ＥＰＧ用チャンネルマップに未登録のＥＰＧを取得可能なチャンネルがあるか否かを判断する。未登録の取得可能チャンネルがないと判断した場合（ステップＳ１１５でＮＯの場合）、制御部１０は、実行する処理をこのチャンネル追加処理の呼出元の処理に戻す。
【００８４】
一方、未登録の取得可能チャンネルがあると判断した場合（ステップＳ１１５でＹＥＳの場合）、ステップＳ１１６で、制御部１０は、ステップＳ１１５で判断された未登録の取得可能チャンネルを示す情報、および、メモリ１０Ｂに記憶されたＥＰＧ用チャンネルマップに既登録のチャンネルを示す情報をモニタ４０に表示させる。
【００８５】
図５は、この発明の実施の形態に従う放送受像装置１で出力されるＥＰＧ用チャンネルマップチャンネル追加画面の一例を示す表示画面図である。
【００８６】
図５を参照して、ＥＰＧ用チャンネルマップチャンネル追加画面には、この画面の名称である「ＥＰＧ用Ｃｈ．Ｍａｐ  Ｃｈ追加画面」の文字と、未登録の取得可能チャンネルのリストの名称である「未登録ＥＰＧ取得可能チャンネル」の文字と、未登録の取得可能チャンネルを示す情報およびそのチャンネルの現在から所定時間（ここでは、２時間）のＥＰＧで示される番組の種別を示す情報を含むリストである「１８−１  Ｂａｓｅｂａｌｌ」「１９−２  Ｄｏｃｕｍｅｎｎｔａｒｙ」の数字および文字と、ＥＰＧ用チャンネルマップの既登録のチャンネルのリストの名称である「ＥＰＧ用Ｃｈ．Ｍａｐ既登録チャンネル」の文字と、既登録のチャンネルを示す情報およびそのチャンネルの現在から所定時間（ここでは、２時間）のＥＰＧで示される番組の種別を示す情報を含むリストである「１７−１  Ｄｒａｍａ」「１９−１  Ｎｅｗｓ」「２０−１  Ｃｉｎｅｍａ」「２０−２  Ａｎｉｍａｔｉｏｎ」の数字および文字とが表示される。
【００８７】
ここでは、「１８−１  Ｂａｓｅｂａｌｌ」の数字および文字で示されるチャンネルが、ＥＰＧ用チャンネルマップに追加するチャンネルの選択候補であることを示す態様である太枠線で囲まれた態様で表示されている。ユーザは、リモコン４２によって、いずれの未登録取得可能チャンネルを選択候補とするかを切替える操作をすることができる。また、ユーザは、リモコン４２によって、選択候補とされた未登録取得可能チャンネルを、ＥＰＧ用チャンネルマップに追加するチャンネルとして決定する操作をすることができる。
【００８８】
図２に戻って、ステップ１１７で、制御部１０は、未登録取得可能チャンネルのいずれかの選択を決定する信号をリモコン受信部２６から受けたか否かを判断する。未登録取得可能チャンネルのいずれかの選択を決定する信号を受けていないと判断した場合（ステップＳ１１７でＮＯの場合）、制御部１０は、実行する処理をこのチャンネル追加処理の呼出元の処理に戻す。
【００８９】
一方、未登録取得可能チャンネルのいずれかの選択を決定する信号を受けたと判断した場合（ステップＳ１１７でＹＥＳの場合）、ステップＳ１１８で、制御部１０は、選択された未登録取得可能チャンネルを、メモリ１０Ｂに記憶されたＥＰＧ用チャンネルマップに追加して登録する。その後、制御部１０は、実行する処理をこのチャンネル追加処理の呼出元の処理に戻す。
【００９０】
図６は、この発明の実施の形態に従う放送受像装置１で出力されるＥＰＧ画面の一例を示す第１の表示画面図である。
【００９１】
図６を参照して、ＥＰＧ画面には、この画面の名称である「ＥＰＧ画面」の文字と、現在から所定時間の時間帯を示す情報である「１０：００」「１１：００」の数字と、ＥＰＧ用チャンネルマップの既登録のチャンネルを示す情報およびそのチャンネルの現在から所定時間（ここでは、２時間）のＥＰＧで示される番組の種別を示す情報を含むリストが表示される。このリストには、「１７−１  Ｄｒａｍａ」「１９−１  Ｎｅｗｓ」「２０−１  Ｃｉｎｅｍａ」「２０−２  Ａｎｉｍａｔｉｏｎ」の数字および文字が表示される。なお、ここでは、番組の種別を示す情報を表示させるようにしたが、ＥＰＧに含まれる他の情報を表示させるようにしてもよい。
【００９２】
図７は、この発明の実施の形態に従う放送受像装置１で出力されるＥＰＧ画面の一例を示す第２の表示画面図である。
【００９３】
図７を参照して、このＥＰＧ画面は、図２で示されるチャンネル追加処理が実行されることによって、図６のＥＰＧ画面が表示されるときのＥＰＧ用チャンネルマップに、ユーザが希望するＥＰＧ取得可能なチャンネルが追加された場合のＥＰＧ画面である。
【００９４】
図７のＥＰＧ画面には、この画面の名称である「ＥＰＧ画面」の文字と、現在から所定時間の時間帯を示す情報である「１０：００」「１１：００」の数字と、追加されたチャンネルを含めたＥＰＧ用チャンネルマップの既登録のチャンネルを示す情報およびそのチャンネルの現在から所定時間のＥＰＧで示される番組の種別を示す情報を含むリストが表示される。このリストには、図６のＥＰＧ画面のリストに加えて、「１８−１  Ｂａｓｅｂａｌｌ」の数字および文字が表示される。
【００９５】
【表２】
2006352752.tif 000004
【００９６】
表２は、選局用チャンネルマップおよびＥＰＧ用チャンネルマップを含むチャンネルマップを示す第２のテーブルである。
【００９７】
表２を参照して、このテーブルは、図２で示されるチャンネル追加処理が実行されることによって、表１のテーブルで示される選局用チャンネルマップおよびＥＰＧ用チャンネルマップに、ユーザが希望する受信可能なチャンネルおよびＥＰＧ取得可能なチャンネルが追加された場合のテーブルである。
【００９８】
この選局用チャンネルマップによって、「１９−２」で示されるチャンネルが、表１の選局用チャンネルマップで示される既登録チャンネルに新たに既登録チャンネルとして追加されたチャンネルであることが示される。また、「１９−２」で示されるチャンネルは、ＥＰＧ用チャンネルマップには未登録であることが示される。
【００９９】
また、このＥＰＧ用チャンネルマップによって、「１８−１」で示されるチャンネルが、表１のＥＰＧ用チャンネルマップで示される既登録チャンネルに新たに既登録チャンネルとして追加されたチャンネルであることが示される。また、「１８−１」で示されるチャンネルは、選局用チャンネルマップには未登録であることが示される。
【０１００】
図８は、この発明の実施の形態に従う放送受像装置１で実行されるチャンネル削除処理の流れを示すフローチャートである。
【０１０１】
図８を参照して、このチャンネル削除処理は、チャンネルを削除する指示がユーザから受付けられたときに実行される。まず、ステップＳ１２１で、制御部１０は、チャンネル削除メニュー画面をモニタ４０に表示させる。
【０１０２】
図９は、この発明の実施の形態に従う放送受像装置１で出力されるチャンネル削除メニュー画面の一例を示す表示画面図である。
【０１０３】
図９を参照して、チャンネル削除メニュー画面には、この画面の名称である「チャンネル削除メニュー」の文字と、チャンネルを削除するチャンネルマップを選択するための選択肢である「１．選局用チャンネルマップ」および「２．ＥＰＧ用チャンネルマップ」の文字とが表示される。
【０１０４】
ここでは、「２．ＥＰＧ用チャンネルマップ」の文字が選択候補であることを示す態様である太枠線で囲まれた態様で表示されている。ユーザは、リモコン４２によって、いずれのチャンネルマップを選択候補とするかを切替える操作をすることができる。また、ユーザは、リモコン４２によって、選択候補とされたチャンネルマップを、チャンネルを削除するチャンネルマップとして決定する操作をすることができる。
【０１０５】
図８に戻って、ステップＳ１２２で、制御部１０は、ＥＰＧ用チャンネルマップの選択を決定する信号をリモコン受信部２６から受けたか否かを判断する。ＥＰＧ用チャンネルマップの選択を決定する信号を受けたと判断した場合（ステップＳ１２２でＹＥＳの場合）、制御部１０は、実行する処理をステップＳ１３４に進める。
【０１０６】
一方、ＥＰＧ用チャンネルマップの選択を決定する信号を受けていないと判断した場合（ステップＳ１２２でＮＯの場合）、ステップＳ１２３で、制御部１０は、選局用チャンネルマップの選択を決定する信号をリモコン受信部２６から受けたか否かを判断する。選局用チャンネルマップの選択を決定する信号を受けていないと判断した場合（ステップＳ１２３でＮＯの場合）、制御部１０は、実行する処理をステップＳ１２２に戻す。
【０１０７】
一方、選局用チャンネルマップの選択を決定する信号を受けたと判断した場合（ステップＳ１２３でＹＥＳの場合）、ステップＳ１２４で、制御部１０は、メモリ１０Ｂに記憶された選局用チャンネルマップに既登録のチャンネルを示す情報をモニタ４０に表示させる。
【０１０８】
図１０は、この発明の実施の形態に従う放送受像装置１で出力される選局用チャンネルマップチャンネル削除画面の一例を示す表示画面図である。
【０１０９】
図１０を参照して、選局用チャンネルマップチャンネル削除画面には、この画面の名称である「選局用Ｃｈ．Ｍａｐ  Ｃｈ追加画面」の文字と、選局用チャンネルマップに既登録のチャンネルのリストの名称である「選局用Ｃｈ．Ｍａｐ既登録チャンネル」の文字と、選局用チャンネルマップの既登録のチャンネルを示すリストである「１７−１」「１９−１」「１９−２」「２０−１」「２０−２」の数字とが表示される。
【０１１０】
ここでは、「１９−２」の数字で示されるチャンネルが、選局用チャンネルマップから削除するチャンネルの選択候補であることを示す態様である太枠線で囲まれた態様で表示されている。ユーザは、リモコン４２によって、いずれの既登録チャンネルを選択候補とするかを切替える操作をすることができる。また、ユーザは、リモコン４２によって、選択候補とされた既登録チャンネルを、選局用チャンネルマップから削除するチャンネルとして決定する操作をすることができる。
【０１１１】
図８に戻って、ステップＳ１２５で、制御部１０は、既登録チャンネルのいずれかの選択を決定する信号をリモコン受信部２６から受けたか否かを判断する。既登録チャンネルのいずれかの選択を決定する信号を受けていないと判断した場合（ステップＳ１２５でＮＯの場合）、制御部１０は、実行する処理をこのチャンネル削除処理の呼出元の処理に戻す。
【０１１２】
一方、既登録チャンネルのいずれかの選択を決定する信号を受けたと判断した場合（ステップＳ１２５でＹＥＳの場合）、ステップＳ１２６で、制御部１０は、選択された既登録チャンネルを、メモリ１０Ｂに記憶された選局用チャンネルマップから、既登録チャンネルとして特定不可能なように削除する。ここでは、選択された既登録チャンネルのチャンネル番号を残した状態で、その既登録チャンネルを選局用チャンネルマップの既登録チャンネルとして特定不可能な状態とする。その後、制御部１０は、実行する処理をこのチャンネル削除処理の呼出元の処理に戻す。
【０１１３】
また、ステップＳ１２２でステップＳ１３４に進んだ場合、制御部１０は、メモリ１０Ｂに記憶されたＥＰＧ用チャンネルマップに既登録のチャンネルを示す情報をモニタ４０に表示させる。
【０１１４】
図１１は、この発明の実施の形態に従う放送受像装置１で出力されるＥＰＧ用チャンネルマップチャンネル削除画面の一例を示す表示画面図である。
【０１１５】
図１１を参照して、ＥＰＧ用チャンネルマップチャンネル削除画面には、この画面の名称である「ＥＰＧ用Ｃｈ．Ｍａｐ  Ｃｈ削除画面」の文字と、ＥＰＧ用チャンネルマップの既登録のチャンネルのリストの名称である「ＥＰＧ用Ｃｈ．Ｍａｐ既登録チャンネル」の文字と、既登録のチャンネルを示す情報およびそのチャンネルの現在から所定時間（ここでは、２時間）のＥＰＧで示される番組の種別を示す情報を含むリストである「１７−１  Ｄｒａｍａ」「１８−１  Ｎｏ  Ｄａｔａ」「１９−１  Ｎｅｗｓ」「２０−１  Ｃｉｎｅｍａ」「２０−２  Ａｎｉｍａｔｉｏｎ」の数字および文字とが表示される。なお「Ｎｏ  Ｄａｔａ」とは、そのチャンネルにＥＰＧがないことを示す。
【０１１６】
ここでは、「１８−１  Ｎｏ  Ｄａｔａ」の数字および文字で示されるチャンネルが、ＥＰＧ用チャンネルマップから削除するチャンネルの選択候補であることを示す態様である太枠線で囲まれた態様で表示されている。ユーザは、リモコン４２によって、いずれの既登録チャンネルを選択候補とするかを切替える操作をすることができる。また、ユーザは、リモコン４２によって、選択候補とされた未登録取得可能チャンネルを、ＥＰＧ用チャンネルマップから削除するチャンネルとして決定する操作をすることができる。
【０１１７】
図８に戻って、ステップＳ１３５で、制御部１０は、既登録チャンネルのいずれかの選択を決定する信号をリモコン受信部２６から受けたか否かを判断する。既登録チャンネルのいずれかの選択を決定する信号を受けていないと判断した場合（ステップＳ１３５でＮＯの場合）、制御部１０は、実行する処理をこのチャンネル追加処理の呼出元の処理に戻す。
【０１１８】
一方、既登録チャンネルのいずれかの選択を決定する信号を受けたと判断した場合（ステップＳ１３５でＹＥＳの場合）、ステップＳ１３６で、制御部１０は、選択された既登録チャンネルを、メモリ１０Ｂに記憶されたＥＰＧ用チャンネルマップから、既登録チャンネルとして特定不可能なように削除する。ここでは、選択された既登録チャンネルのチャンネル番号を残した状態で、その既登録チャンネルをＥＰＧ用チャンネルマップの既登録チャンネルとして特定不可能な状態とする。その後、制御部１０は、実行する処理をこのチャンネル削除処理の呼出元の処理に戻す。
【０１１９】
たとえば、図７のＥＰＧ画面が表示されるときのＥＰＧ用チャンネルマップの状態において、図８で示されるチャンネル削除処理が実行され、ユーザが希望する既登録チャンネル（ここでは、１８−１）がＥＰＧ用チャンネルマップから削除されることによって、図６で示されるＥＰＧ画面とされる。
【０１２０】
【表３】
2006352752.tif 000005
【０１２１】
表３は、選局用チャンネルマップおよびＥＰＧ用チャンネルマップを含むチャンネルマップを示す第３のテーブルである。
【０１２２】
表３を参照して、このテーブルは、図８で示されるチャンネル削除処理が実行されることによって、表２のテーブルで示される選局用チャンネルマップおよびＥＰＧ用チャンネルマップから、ユーザが希望する既登録チャンネルが削除された場合のテーブルである。
【０１２３】
この選局用チャンネルマップによって、「１９−２」で示されるチャンネルが、表２の選局用チャンネルマップから、既登録チャンネルとして特定不可能なように削除されたことが示される。
【０１２４】
また、このＥＰＧ用チャンネルマップによって、「１８−１」で示されるチャンネルが、表２のＥＰＧ用チャンネルマップから、既登録チャンネルとして特定不可能なように削除されたことが示される。
【０１２５】
以上説明したように、本実施の形態における放送受像装置１によれば、表１で説明したように、ＥＰＧを表示させるチャンネルを特定可能なＥＰＧ用チャンネルマップが制御部１０のメモリ１０Ｂに記憶され、選局することが可能なチャンネルを特定可能な選局用チャンネルマップが制御部１０のメモリ１０Ｂに記憶される。
【０１２６】
また、ステップＳ１０２およびステップＳ１０３で説明したように、放送受像装置１によって、チャンネルを追加するチャンネルマップとして、ＥＰＧ用チャンネルマップまたは選局用チャンネルマップのいずれかの選択がユーザから受付けられる。
【０１２７】
また、ステップＳ１１４およびステップＳ１１５で説明したように、放送受像装置１によって、ＥＰＧを取得可能な取得可能チャンネルが検索され、検索された取得可能チャンネルのうち、ＥＰＧ用チャンネルマップでＥＰＧを表示させるチャンネルとして特定不可能な取得可能チャンネルが抽出される。
【０１２８】
また、ステップＳ１０２でＥＰＧ用チャンネルマップの選択が受付けられた場合、ステップＳ１１６およびステップＳ１１７で説明したように、放送受像装置１によって、抽出された取得可能チャンネルのうち、ユーザがＥＰＧ用チャンネルマップへの追加を希望する取得可能チャンネルの選択が受付けられる。
【０１２９】
そして、ステップＳ１１８で説明したように、放送受像装置１によって、受付けられた取得可能チャンネルが、メモリ１０Ｂに記憶されているＥＰＧ用チャンネルマップに、ＥＰＧを表示させるチャンネルとして特定可能なように追加される。
【０１３０】
また、ステップＳ１０４およびステップＳ１０５で説明したように、放送受像装置１によって、放送を受信可能な受信可能チャンネルが検索され、検索された受信可能チャンネルのうち、選局用チャンネルマップで選局可能なチャンネルとして特定不可能なチャンネルが受信可能チャンネルが抽出される。
【０１３１】
また、ステップＳ１０３で選局用チャンネルマップの選択が受付けられた場合、ステップＳ１０６およびステップＳ１０７で説明したように、放送受像装置１によって、抽出された受信可能チャンネルのうち、ユーザが選局用チャンネルマップへの追加を希望する受信可能チャンネルの選択が受付けられる。
【０１３２】
そして、ステップＳ１０８で説明したように、放送受像装置１によって、受付けられた受信可能チャンネルが、選局用チャンネルマップに、選局が可能なチャンネルとして特定可能なように追加される。
【０１３３】
このように、放送受像装置１によって、ＥＰＧを表示させるチャンネル、および、選局することが可能なチャンネルが、それぞれ、ＥＰＧ用チャンネルマップ、および、選局用チャンネルマップに記憶され、ユーザが追加を希望する取得可能チャンネルおよび受信可能チャンネルが、それぞれ、ＥＰＧ用チャンネルマップ、および、選局用チャンネルマップに追加される。その結果、あるチャンネルのＥＰＧを表示させるようにせずにそのチャンネルを選局可能とすること、および、あるチャンネルを選局可能なようにせずにそのチャンネルのＥＰＧを表示させることができる。
【０１３４】
また、ステップＳ１１６で説明したように、放送受像装置１によって、抽出された取得可能チャンネルを示す情報がモニタ４０に表示される。また、ステップＳ１０６で説明したように、放送受像装置１によって、抽出された受信可能チャンネルを示す情報がモニタ４０に表示される。
【０１３５】
そして、ステップＳ１１７で説明したように、放送受像装置１によって、表示された取得可能チャンネルを示す情報で示される取得可能チャンネルのうちからユーザが追加を希望する取得可能チャンネルの選択が受付けられる。また、ステップＳ１０７で説明したように、放送受像装置１によって、表示された受信可能チャンネルを示す情報で示される受信可能チャンネルのうちからユーザが追加を希望する受信可能チャンネルの選択が受付けられる。
【０１３６】
このように、ユーザが追加を希望することが可能な取得可能チャンネルおよび受信可能チャンネルを分かり易くユーザに知らせることができる。
【０１３７】
また、ステップＳ１２２およびステップＳ１２３で説明したように、放送受像装置１によって、チャンネルを削除するチャンネルマップとして、ＥＰＧ用チャンネルマップまたは選局用チャンネルマップのいずれかの選択がユーザから受付けられる。
【０１３８】
また、ステップＳ１２２でＥＰＧ用チャンネルマップの選択が受付けられた場合、ステップＳ１３４およびステップＳ１３５で説明したように、放送受像装置１によって、ＥＰＧ用チャンネルマップでＥＰＧを表示させるチャンネルとして特定可能な既登録チャンネルのうち、ユーザがＥＰＧ用チャンネルマップからの削除を希望する既登録チャンネルの選択が受付けられる。
【０１３９】
そして、ステップＳ１３６で説明したように、放送受像装置１によって、受付けられた既登録チャンネルが、ＥＰＧ用チャンネルマップから、ＥＰＧを表示させるチャンネルとして特定不可能なように削除される。
【０１４０】
また、ステップＳ１２３で選局用チャンネルマップの選択が受付けられた場合、ステップＳ１２４およびステップＳ１２５で説明したように、放送受像装置１によって、選局用チャンネルマップで選局が可能なチャンネルとして特定可能な既登録チャンネルのうち、ユーザが選局用チャンネルマップからの削除を希望する既登録チャンネルの選択が受付けられる。
【０１４１】
そして、ステップＳ１２６で説明したように、放送受像装置１によって、受付けられた既登録チャンネルが、選局用チャンネルマップから、選局が可能なチャンネルとして特定不可能なように削除される。
【０１４２】
このように、放送受像装置１によって、ＥＰＧを表示させるチャンネル、および、選局することが可能なチャンネルが、それぞれ、ＥＰＧ用チャンネルマップ、および、選局用チャンネルマップに記憶され、ユーザが削除を希望する既登録チャンネルが、それぞれ、ＥＰＧ用チャンネルマップ、および、選局用チャンネルマップから削除される。その結果、あるチャンネルのＥＰＧを表示させるようにせずにそのチャンネルを選局可能とすること、および、あるチャンネルを選局可能なようにせずにそのチャンネルのＥＰＧを表示させることができる。
【０１４３】
また、ステップＳ１３４で説明したように、放送受像装置１によって、ＥＰＧ用チャンネルマップで特定可能な既登録チャンネルを示す既登録チャンネル情報がモニタ４０に表示される。また、ステップＳ１２４で説明したように、放送受像装置１によって、選局用チャンネルマップで特定可能な既登録チャンネルを示す既登録チャンネル情報がモニタ４０に表示される。
【０１４４】
そして、ステップＳ１３５およびステップＳ１２５で説明したように、放送受像装置１によって、表示された既登録チャンネル情報で示される既登録チャンネルのうちからユーザが削除を希望する既登録チャンネルの選択が受付けられる。
【０１４５】
このように、ユーザが削除を希望することが可能なＥＰＧ用チャンネルマップおよび選局用チャンネルマップの既登録チャンネルを分かり易くユーザに知らせることができる。
【０１４６】
また、表１で説明したように、放送受像装置１によって、チャンネルを特定可能なチャンネル番号と対応させて、チャンネル番号で特定可能なチャンネルのＥＰＧを表示させることを特定可能なＥＰＧ用チャンネルマップ、および、チャンネル番号で特定可能なチャンネルを選局することが可能であることを特定可能な選局用チャンネルマップが、１つのチャンネルマップとして記憶される。
【０１４７】
このように、ＥＰＧ用チャンネルマップおよび選局用チャンネルマップで、チャンネル番号を重複して記憶する必要がない。その結果、チャンネルマップを記憶するための制御部１０のメモリ１０Ｂの記憶容量を削減することができる。
【０１４８】
なお、本実施の形態においては、ＥＰＧデータを電波で受信される放送信号とともに受信するものとした。しかし、これに限定されず、放送受像装置１にインターネットに接続するための通信部を設けて、ＥＰＧデータがインターネットから受信されるようにしてもよい。
【０１４９】
また、本実施の形態においては、選局用チャンネルマップまたはＥＰＧ用チャンネルマップに以前登録されたが現在は未登録であるチャンネルを示すチャンネル番号をチャンネルマップに残すようにした。しかし、選局用チャンネルマップおよびＥＰＧ用チャンネルマップのいずれにも未登録のチャンネルのチャンネル番号をチャンネルマップから削除するようにしてもよい。これにより、さらに、チャンネルマップを記憶するためのメモリ１０Ｂの記憶容量を削減することができる。
【０１５０】
また、前述した図２および図８でそれぞれ説明したチャンネル追加処理およびチャンネル削除処理において、それぞれのステップは、そのステップの後のステップに不都合が生じない限り、それぞれのステップの順序を入替えることができる。
【０１５１】
また、本実施の形態においては、放送受像装置１として発明を説明した。しかし、これに限定されず、放送受像装置１からモニタ４０の構成を除いた放送受信装置の発明と捉えることができる。また、この放送受信装置を含む録画装置の発明と捉えることができる。
【０１５２】
また、図２および図８でそれぞれ説明したチャンネル追加処理およびチャンネル削除処理を、放送受像装置１、放送受信装置、または、録画装置でそれぞれ実行するチャンネル追加制御方法およびチャンネル削除制御方法として発明を捉えることができる。
【０１５３】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１５４】
【図１】この発明の実施の形態に従う放送受像装置の概略構成図である。
【図２】この発明の実施の形態に従う放送受像装置で実行されるチャンネル追加処理の流れを示すフローチャートである。
【図３】この発明の実施の形態に従う放送受像装置で出力されるチャンネル追加メニュー画面の一例を示す表示画面図である。
【図４】この発明の実施の形態に従う放送受像装置で出力される選局用チャンネルマップチャンネル追加画面の一例を示す表示画面図である。
【図５】この発明の実施の形態に従う放送受像装置で出力されるＥＰＧ用チャンネルマップチャンネル追加画面の一例を示す表示画面図である。
【図６】この発明の実施の形態に従う放送受像装置で出力されるＥＰＧ画面の一例を示す表示画面図である。
【図７】この発明の実施の形態に従う放送受像装置で出力されるＥＰＧ画面の一例を示す第２の表示画面図である。
【図８】この発明の実施の形態に従う放送受像装置で実行されるチャンネル削除処理の流れを示すフローチャートである。
【図９】この発明の実施の形態に従う放送受像装置で出力されるチャンネル削除メニュー画面の一例を示す表示画面図である。
【図１０】この発明の実施の形態に従う放送受像装置で出力される選局用チャンネルマップチャンネル削除画面の一例を示す表示画面図である。
【図１１】この発明の実施の形態に従う放送受像装置で出力されるＥＰＧ用チャンネルマップチャンネル削除画面の一例を示す表示画面図である。
【符号の説明】
【０１５５】
１  放送受像装置、１０  制御部、１０Ａ  ＣＰＵ、１０Ｂ  メモリ、１６  チューナ、１８  復調部、２２  デコーダ、２６  リモコン受信部、３０  アンテナ、４０  モニタ、４２  リモコン。
【図１】
2006352752.tif 000006
【図２】
2006352752.tif 000007
【図３】
2006352752.tif 000008
【図４】
2006352752.tif 000009
【図５】
2006352752.tif 000010
【図６】
2006352752.tif 000011
【図７】
2006352752.tif 000012
【図８】
2006352752.tif 000013
【図９】
2006352752.tif 000014
【図１０】
2006352752.tif 000015
【図１１】
2006352752.tif 000016